【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のアップリンク／ダウンリンク（ＵＬ／ＤＬ）サブフレーム構成を含む情報ブロックメッセージをブロードキャストすること、ここにおいて、前記第１のＵＬ／ＤＬ構成は、第１のフレーム中のすべてのサブフレームについての構成情報を備える、と、
１つまたは複数のユーザ機器（ＵＥ）との通信を処理するために適切な第２のＵＬ／ＤＬサブフレーム構成を決定すること、ここにおいて、前記第２のＵＬ／ＤＬサブフレーム構成は、第２のフレーム中のすべてのサブフレームについての構成を情報を備える、と、
前記１つまたは複数のＵＥに前記第２のＵＬ／ＤＬサブフレーム構成のインジケーションをシグナリングすること、ここにおいて、前記シグナリングは、前記第２のＵＬ／ＤＬサブフレーム構成がいつ用いられるかのインジケーションも提供し、前記第２のＵＬ／ＤＬサブフレーム構成は、前記第１のＵＬ／ＤＬサブフレーム構成に基づいて決定された限定された数の有効サブフレームから選択される、と
を備える方法。
【請求項２】
１つまたは複数のＵＥとの前記通信は、ＵＥのためのダウンリンクデータのバーストを備え、
前記第２のＵＬ／ＤＬサブフレーム構成は、前記第１のＵＬ／ＤＬサブフレーム構成よりも多くのダウンリンク送信用サブフレームを備える、
請求項１に記載の方法。
【請求項３】
１つまたは複数のＵＥとの前記通信は、ＵＥからのアップリンクデータのバーストを備え、
前記第２のＵＬ／ＤＬサブフレーム構成は、前記第１のＵＬ／ＤＬサブフレーム構成よりも多くのアップリンク送信用サブフレームを備える、
請求項１に記載の方法。
【請求項４】
前記第２のＵＬ／ＤＬサブフレーム構成は、サブフレーム構成を含む別の情報ブロックメッセージをブロードキャストする前にシグナリングされる、
請求項１に記載の方法。
【請求項５】
前記第２のＵＬ／ＤＬサブフレーム構成は、シグナリングを介して１つまたは複数の個別ＵＥにシグナリングされる、
請求項１に記載の方法。
【請求項６】
前記第２のＵＬ／ＤＬサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
請求項１に記載の方法。
【請求項７】
前記第２のＵＬ／ＤＬサブフレーム構成は、前記ＰＤＣＣＨまたは前記ｅＰＤＣＣＨの少なくとも１つにおける情報フィールドを介してシグナリングされる、
請求項６に記載の方法。
【請求項８】
前記シグナリングは、前記第２のＵＬ／ＤＬサブフレーム構成を利用するための持続時間のインジケーションも提供する、
請求項１に記載の方法。
【請求項９】
前記第２のＵＬ／ＤＬサブフレーム構成は、制御チャネル送信を介してシグナリングされ、
前記第２のＵＬ／ＤＬサブフレーム構成を示すための前記制御チャネル送信の少なくとも１つの物理レイヤ特性は、前記第２のＵＬ／ＤＬサブフレーム構成に基づく、
請求項１に記載の方法。
【請求項１０】
前記制御チャネル送信は、制御チャネル復号候補のセットを備え、前記復号候補の第１のサブセットの少なくとも１つの物理レイヤ特性は、前記第２のＵＬ／ＤＬサブフレーム構成に基づく一方、前記復号候補の第２のサブセットの物理レイヤ特性は、前記第２のＵＬ／ＤＬサブフレーム構成に基づかない、
請求項９に記載の方法。
【請求項１１】
前記第２のＵＬ／ＤＬサブフレーム構成は、マルチキャストシグナリングまたはブロードキャストシグナリングの少なくとも１つを介してシグナリングされる、
請求項１に記載の方法。
【請求項１２】
データチャネル送信または制御チャネル送信の少なくとも１つの１つまたは複数の部分の少なくとも１つの物理レイヤ特性は、前記第２のＵＬ／ＤＬサブフレーム構成に基づく、
請求項１に記載の方法。
【請求項１３】
制御チャネル送信のための１つまたは複数のリソース要素（ＲＥ）のロケーションは、前記第２のＵＬ／ＤＬサブフレーム構成に依存する、
請求項１に記載の方法。
【請求項１４】
前記シグナリングは、所定の数、ブロードキャスト信号、または無線リソース制御信号に基づいて繰り返される、
請求項１に記載の方法。
【請求項１５】
ダウンリンクデータ送信に応答したハイブリッド自動再送要求（ＨＡＲＱ）応答のためのアップリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
請求項１に記載の方法。
【請求項１６】
アップリンクデータ送信のためのアップリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
請求項１に記載の方法。
【請求項１７】
アップリンクデータ送信に応答したハイブリッド自動再送要求（ＨＡＲＱ）応答または制御チャネルのためのダウンリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
請求項１に記載の方法。
【請求項１８】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のアップリンク／ダウンリンク（ＵＬ／ＤＬ）サブフレーム構成を含むブロードキャスト情報ブロックメッセージを受信すること、ここにおいて、前記第１のＵＬ／ＤＬ構成は、第１のフレーム中のすべてのサブフレームについての構成情報を備える、と、
基地局との通信を処理するために適切な第２のＵＬ／ＤＬサブフレーム構成を示すシグナリングを受信すること、ここにおいて、前記シグナリングは、前記第２のＵＬ／ＤＬサブフレーム構成がいつ用いられるかのインジケーションも提供し、前記第２のＵＬ／ＤＬサブフレーム構成は、第２のフレーム中のすべてのサブフレームについての構成を情報を備える、と、
前記第２のＵＬ／ＤＬサブフレーム構成に従って前記基地局と通信すること、ここにおいて、前記第２のＵＬ／ＤＬサブフレーム構成は、前記第１のＵＬ／ＤＬサブフレーム構成に基づいて決定された限定された数の有効サブフレームから選択される、と
を備える方法。
【請求項１９】
前記基地局と通信することは、前記基地局からのダウンリンクデータのバーストを備え、
前記第２のＵＬ／ＤＬサブフレーム構成は、前記第１のＵＬ／ＤＬサブフレーム構成よりも多くのダウンリンク送信用サブフレームを備える、
請求項１８に記載の方法。
【請求項２０】
前記基地局と通信することは、前記基地局のためのアップリンクデータのバーストを備え、
前記第２のＵＬ／ＤＬサブフレーム構成は、前記第１のＵＬ／ＤＬサブフレーム構成よりも多くのアップリンク送信用サブフレームを備える、
請求項１８に記載の方法。
【請求項２１】
前記第２のＵＬ／ＤＬサブフレーム構成は、サブフレーム構成を含む別のブロードキャスト情報ブロックメッセージを受信する前にシグナリングされる、
請求項１８に記載の方法。
【請求項２２】
前記第２のＵＬ／ＤＬサブフレーム構成は、シグナリングを介してシグナリングされる、
請求項２１に記載の方法。
【請求項２３】
前記第２のＵＬ／ＤＬサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
請求項１８に記載の方法。
【請求項２４】
前記第２のＵＬ／ＤＬサブフレーム構成は、前記ＰＤＣＣＨまたは前記ｅＰＤＣＣＨの少なくとも１つにおける情報フィールドを介してシグナリングされる、
請求項２３に記載の方法。
【請求項２５】
前記シグナリングは、前記第２のＵＬ／ＤＬサブフレーム構成を利用するための持続時間のインジケーションも提供する、
請求項１８に記載の方法。
【請求項２６】
前記第２のＵＬ／ＤＬサブフレーム構成は、制御チャネル送信を介してシグナリングされ、
前記第２のＵＬ／ＤＬサブフレーム構成を示すための前記制御チャネル送信の少なくとも１つの物理レイヤ特性は、前記第２のＵＬ／ＤＬサブフレーム構成に基づく、
請求項１８に記載の方法。
【請求項２７】
前記制御チャネル送信は、制御チャネル復号候補のセットを備え、前記復号候補の第１のサブセットの少なくとも１つの物理レイヤ特性は、前記第２のＵＬ／ＤＬサブフレーム構成に基づく一方、前記復号候補の第２のサブセットの物理レイヤ特性は、前記第２のＵＬ／ＤＬサブフレーム構成に基づかない、
請求項２６に記載の方法。
【請求項２８】
データチャネル送信または制御チャネル送信の少なくとも１つの１つまたは複数の部分の少なくとも１つの物理レイヤ特性は、前記第２のＵＬ／ＤＬサブフレーム構成に基づく、
請求項１８に記載の方法。
【請求項２９】
前記シグナリングは、所定の数、ブロードキャスト信号、または無線リソース制御信号に基づいて繰り返される、
請求項１８に記載の方法。
【請求項３０】
前記第２のＵＬ／ＤＬサブフレーム構成の前記インジケーションの前記シグナリングは、前記制御チャネル送信の少なくとも１つの異なる物理レイヤ特性により繰り返される、
請求項２９に記載の方法。
【請求項３１】
第２のＵＬ／ＤＬサブフレーム構成を示すシグナリングが適切に検出されなかった場合に、基地局との通信を処理するために所定のサブフレーム構成を利用することをさらに備える、
請求項１８に記載の方法。
【請求項３２】
前記第２のＵＬ／ＤＬサブフレーム構成は、マルチキャストシグナリングまたはブロードキャストシグナリングの少なくとも１つを介してシグナリングされる、
請求項１８に記載の方法。
【請求項３３】
制御チャネル送信のための１つまたは複数のリソース要素（ＲＥ）のロケーションは、前記第２のＵＬ／ＤＬサブフレーム構成に依存する、
請求項１８に記載の方法。
【請求項３４】
ダウンリンクデータ送信に応答したハイブリッド自動再送要求（ＨＡＲＱ）応答のためのアップリンクサブフレームを示すシグナリングを受信することをさらに備え、アップリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
請求項１８に記載の方法。
【請求項３５】
アップリンクデータ送信のためのアップリンクサブフレームを示すシグナリングを受信することをさらに備え、アップリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
請求項１８に記載の方法。
【請求項３６】
アップリンクデータ送信に応答したハイブリッド自動再送要求（ＨＡＲＱ）応答または制御チャネルのためのダウンリンクサブフレームを示すシグナリングを受信することをさらに備え、ダウンリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
請求項１８に記載の方法。
【請求項３７】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすること、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションをシグナリングすること、ここにおいて、前記一時識別子によってスクランブルされた前記情報フィールドは、前記サブフレーム構成に基づく、と
を備える方法。
【請求項３８】
前記インジケーションをシグナリングすることは、ダウンリンクデータ送信に応答したハイブリッド自動再送要求（ＨＡＲＱ）応答のためのアップリンクサブフレームのインジケーションをシグナリングすることを含む、
請求項３７に記載の方法。
【請求項３９】
前記インジケーションをシグナリングすることは、アップリンクデータ送信のためのアップリンクサブフレームのインジケーションをシグナリングすることを含む、
請求項３７に記載の方法。
【請求項４０】
前記インジケーションをシグナリングすることは、アップリンクデータ送信に応答したハイブリッド自動再送要求（ＨＡＲＱ）応答または制御チャネルのためのダウンリンクサブフレームのインジケーションをシグナリングすることを含む、
請求項３７に記載の方法。
【請求項４１】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信すること、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションを受信すること、ここにおいて、前記一時識別子によってスクランブルされた前記情報フィールドは、前記サブフレーム構成に基づく、と、
前記インジケーションに従って前記サブフレームのセットのうちの前記サブフレームの前記少なくとも１つを処理することと
を備える方法。
【請求項４２】
前記インジケーションを受信することは、ダウンリンクデータ送信に応答したハイブリッド自動再送要求（ＨＡＲＱ）応答のためのアップリンクサブフレームのインジケーションを受信することを含む、
請求項４１に記載の方法。
【請求項４３】
前記インジケーションを受信することは、アップリンクデータ送信のためのアップリンクサブフレームのインジケーションを受信することを含む、
請求項４２に記載の方法。
【請求項４４】
前記インジケーションを受信することは、アップリンクデータ送信に応答したハイブリッド自動再送要求（ＨＡＲＱ）応答または制御チャネルのためのダウンリンクサブフレームのインジケーションを受信することを含む、
請求項４１に記載の方法。
【請求項４５】
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、アップリンクデータ送信に使用される少なくとも１つのサブフレームのインジケーションをシグナリングすること、ここにおいて、前記一時識別子によってスクランブルされた前記情報フィールドは、サブフレーム構成に基づく、と、
前記インジケーションに従った前記少なくとも１つのサブフレームを、サブフレームのセットのうちのどのサブフレームがアップリンク送信用であるか、またはサブフレームの前記セットのうちのどのサブフレームがダウンリンク送信用であるかの少なくとも１つを示す前記サブフレーム構成に気づいていないユーザ機器（ＵＥ）から受信すること、ここにおいて、前記サブフレーム構成は、フレーム中のすべてのサブフレームについての構成情報を備える、と
を備える方法。
【請求項４６】
前記インジケーションをシグナリングすることは、ダウンリンク送信のためのサブフレームに対して、アップリンクＡＣＫ／ＮＡＣＫ送信のためのアップリンクサブフレームのインジケーションをシグナリングすることを含む、
請求項４５に記載の方法。
【請求項４７】
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、前記インジケーションに従って前記サブフレームの前記少なくとも１つを送ること、ここにおいて、前記サブフレーム構成は、フレーム中のすべてのサブフレームについての構成情報を備え、前記一時識別子によってスクランブルされた前記情報フィールドは、前記サブフレーム構成に基づく、と
を備える方法。
【請求項４８】
前記インジケーションを受信することは、ダウンリンク送信のためのサブフレームに対して、アップリンクＡＣＫ／ＮＡＣＫ送信のためのアップリンクサブフレームのインジケーションを受信することを含む、
請求項４７に記載の方法。
【請求項４９】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のアップリンク／ダウンリンク（ＵＬ／ＤＬ）サブフレーム構成を含む情報ブロックメッセージをブロードキャストするための手段、ここにおいて、前記第１のＵＬ／ＤＬ構成は、第１のフレーム中のすべてのサブフレームについての構成情報を備える、と、
１つまたは複数のユーザ機器（ＵＥ）との通信を処理するために適切な第２のＵＬ／ＤＬサブフレーム構成を決定するための手段、ここにおいて、前記第２のＵＬ／ＤＬサブフレーム構成は、前記第１のＵＬ／ＤＬサブフレーム構成に基づいて決定された限定された数の有効サブフレームから選択され、前記第２のＵＬ／ＤＬサブフレーム構成は、第２のフレーム中のすべてのサブフレームについての構成を情報を備える、と、
前記１つまたは複数のＵＥに前記第２のＵＬ／ＤＬサブフレーム構成のインジケーションをシグナリングするための手段、ここにおいて、前記シグナリングするための手段は、前記第２のＵＬ／ＤＬサブフレーム構成がいつ用いられるかのインジケーションも提供する、と
を備える装置。
【請求項５０】
１つまたは複数のＵＥとの前記通信は、ＵＥのためのダウンリンクデータのバーストを備え、
前記第２のＵＬ／ＤＬサブフレーム構成は、前記第１のＵＬ／ＤＬサブフレーム構成よりも多くのダウンリンク送信用サブフレームを備える、
請求項４９に記載の装置。
【請求項５１】
１つまたは複数のＵＥとの前記通信は、ＵＥからのアップリンクデータのバーストを備え、
前記第２のＵＬ／ＤＬサブフレーム構成は、前記第１のＵＬ／ＤＬサブフレーム構成よりも多くのアップリンク送信用サブフレームを備える、
請求項４９に記載の装置。
【請求項５２】
前記第２のＵＬ／ＤＬサブフレーム構成は、サブフレーム構成を含む別の情報ブロックメッセージをブロードキャストする前にシグナリングされる、
請求項４９に記載の装置。
【請求項５３】
前記第２のＵＬ／ＤＬサブフレーム構成は、シグナリングを介して１つまたは複数の個別ＵＥにシグナリングされる、
請求項４９に記載の装置。
【請求項５４】
前記第２のＵＬ／ＤＬサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
請求項４９に記載の装置。
【請求項５５】
前記第２のＵＬ／ＤＬサブフレーム構成は、マルチキャストシグナリングまたはブロードキャストシグナリングの少なくとも１つを介してシグナリングされる、
請求項４９に記載の装置。
【請求項５６】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のアップリンク／ダウンリンク（ＵＬ／ＤＬ）サブフレーム構成を含むブロードキャスト情報ブロックメッセージを受信するための手段、ここにおいて、前記第１のＵＬ／ＤＬ構成は、第１のフレーム中のすべてのサブフレームについての構成情報を備える、と、
基地局との通信を処理するために適切な第２のＵＬ／ＤＬサブフレーム構成を示すシグナリングを受信するための手段、ここにおいて、前記シグナリングは、前記第２のＵＬ／ＤＬサブフレーム構成がいつ用いられるかのインジケーションも提供し、前記第２のＵＬ／ＤＬサブフレーム構成は、前記第１のＵＬ／ＤＬサブフレーム構成に基づいて決定された限定された数の有効サブフレームから選択され、前記第２のＵＬ／ＤＬサブフレーム構成は、第２のフレーム中のすべてのサブフレームについての構成を情報を備える、と、
前記第２のＵＬ／ＤＬサブフレーム構成に従って前記基地局と通信するための手段と
を備える装置。
【請求項５７】
前記基地局と通信するための前記手段は、前記基地局からのダウンリンクデータのバーストを介して通信するための手段を備え、
前記第２のＵＬ／ＤＬサブフレーム構成は、前記第１のＵＬ／ＤＬサブフレーム構成よりも多くのダウンリンク送信用サブフレームを備える、
請求項５６に記載の装置。
【請求項５８】
前記基地局と通信するための手段は、前記基地局のためのアップリンクデータのバーストを介して通信するための手段を備え、
前記第２のＵＬ／ＤＬサブフレーム構成は、前記第１のＵＬ／ＤＬサブフレーム構成よりも多くのアップリンク送信用サブフレームを備える、
請求項５６に記載の装置。
【請求項５９】
前記第２のＵＬ／ＤＬサブフレーム構成は、サブフレーム構成を含む別のブロードキャスト情報ブロックメッセージを受信する前にシグナリングされる、
請求項５６に記載の装置。
【請求項６０】
前記第２のＵＬ／ＤＬサブフレーム構成は、専用シグナリングを介してシグナリングされる、
請求項５９に記載の装置。
【請求項６１】
前記第２のＵＬ／ＤＬサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
請求項５６に記載の装置。
【請求項６２】
前記シグナリングは、所定の数、ブロードキャスト信号、または無線リソース制御信号に基づいて繰り返される、
請求項５６に記載の装置。
【請求項６３】
前記第２のＵＬ／ＤＬサブフレーム構成の前記インジケーションの前記シグナリングは、前記制御チャネル送信の少なくとも１つの異なる物理レイヤ特性により繰り返される、
請求項６２に記載の装置。
【請求項６４】
前記第２のＵＬ／ＤＬサブフレーム構成は、マルチキャストシグナリングまたはブロードキャストシグナリングの少なくとも１つを介してシグナリングされる、
請求項５６に記載の装置。
【請求項６５】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストするための手段、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションをシグナリングするための手段、ここにおいて、前記一時識別子によってスクランブルされた前記情報フィールドは、前記サブフレーム構成に基づく、と
を備える装置。
【請求項６６】
前記インジケーションをシグナリングするための前記手段は、ダウンリンクデータ送信に応答したハイブリッド自動再送要求（ＨＡＲＱ）応答のためのアップリンクサブフレームのインジケーションをシグナリングするための手段を含む、
請求項６５に記載の装置。
【請求項６７】
前記インジケーションをシグナリングするための前記手段は、アップリンクデータ送信のためのアップリンクサブフレームのインジケーションをシグナリングするための手段を含む、
請求項６５に記載の装置。
【請求項６８】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信するための手段、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションを受信するための手段、ここにおいて、前記一時識別子によってスクランブルされた前記情報フィールドは、前記サブフレーム構成に基づく、と、
前記インジケーションに従って前記サブフレームのセットのうちの前記サブフレームの前記少なくとも１つを処理するための手段と
を備える装置。
【請求項６９】
前記インジケーションを受信するための前記手段は、ダウンリンクデータ送信に応答したハイブリッド自動再送要求（ＨＡＲＱ）応答のためのアップリンクサブフレームのインジケーションを受信するための手段を含む、
請求項６８に記載の装置。
【請求項７０】
前記インジケーションを受信するための前記手段は、アップリンクデータ送信のためのアップリンクサブフレームのインジケーションを受信するための手段を含む、
請求項６９に記載の装置。
【請求項７１】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、アップリンクデータ送信に使用される少なくとも１つのサブフレームのインジケーションをシグナリングするための手段、ここにおいて、前記一時識別子によってスクランブルされた前記情報フィールドは、サブフレーム構成に基づく、と、
前記インジケーションに従った前記少なくとも１つのサブフレームを、サブフレームのセットのうちのどのサブフレームがアップリンク送信用であるか、またはサブフレームの前記セットのうちのどのサブフレームがダウンリンク送信用であるかの少なくとも１つを示す前記サブフレーム構成に気づいていないユーザ機器（ＵＥ）から受信するための手段、ここにおいて、前記サブフレーム構成は、フレーム中のすべてのサブフレームについての構成情報を備える、と
を備える装置。
【請求項７２】
前記インジケーションをシグナリングするための前記手段は、ダウンリンク送信のためのサブフレームに対して、アップリンクＡＣＫ／ＮＡＣＫ送信のためのアップリンクサブフレームのインジケーションをシグナリングするための手段を含む、
請求項７１に記載の装置。
【請求項７３】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信するための手段、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記インジケーションに従って前記少なくとも１つのサブフレームを送るための手段と
を備える装置。
【請求項７４】
前記インジケーションを受信するための前記手段は、ダウンリンク送信のためのサブフレームに対して、アップリンクＡＣＫ／ＮＡＣＫ送信のためのアップリンクサブフレームのインジケーションを受信するための手段を含む、
請求項７３に記載の装置。
【請求項７５】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のアップリンク／ダウンリンク（ＵＬ／ＤＬ）サブフレーム構成を含む情報ブロックメッセージをブロードキャストすること、ここにおいて、前記第１のＵＬ／ＤＬ構成は、第１のフレーム中のすべてのサブフレームについての構成情報を備える、と、１つまたは複数のユーザ機器（ＵＥ）との通信を処理するために適切な第２のＵＬ／ＤＬサブフレーム構成を決定することと、、前記１つまたは複数のＵＥに前記第２のＵＬ／ＤＬサブフレーム構成のインジケーションをシグナリングすることとを行うように構成される少なくとも１つのプロセッサ、ここにおいて、前記シグナリングは、前記第２のＵＬ／ＤＬサブフレーム構成がいつ用いられるかのインジケーションも提供し、前記第２のＵＬ／ＤＬサブフレーム構成は、前記第１のＵＬ／ＤＬサブフレーム構成に基づいて決定された限定された数の有効サブフレームから選択され、前記第２のＵＬ／ＤＬサブフレーム構成は、第２のフレーム中のすべてのサブフレームについての構成を情報を備える、と、
前記少なくとも１つのプロセッサに結合されたメモリと
を備える装置。
【請求項７６】
１つまたは複数のＵＥとの前記通信は、ＵＥのためのダウンリンクデータのバーストを備え、
前記第２のＵＬ／ＤＬサブフレーム構成は、前記第１のＵＬ／ＤＬサブフレーム構成よりも多くのダウンリンク送信用サブフレームを備える、
請求項７５に記載の装置。
【請求項７７】
１つまたは複数のＵＥとの前記通信は、ＵＥからのアップリンクデータのバーストを備え、
前記第２のＵＬ／ＤＬサブフレーム構成は、前記第１のＵＬ／ＤＬサブフレーム構成よりも多くのアップリンク送信用サブフレームを備える、
請求項７５に記載の装置。
【請求項７８】
前記第２のＵＬ／ＤＬサブフレーム構成は、サブフレーム構成を含む別の情報ブロックメッセージをブロードキャストする前にシグナリングされる、
請求項７５に記載の装置。
【請求項７９】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のアップリンク／ダウンリンク（ＵＬ／ＤＬ）サブフレーム構成を含むブロードキャスト情報ブロックメッセージを受信すること、ここにおいて、前記第１のＵＬ／ＤＬ構成は、第１のフレーム中のすべてのサブフレームについての構成情報を備える、と、
基地局との通信を処理するために適切な第２のＵＬ／ＤＬサブフレーム構成を示すシグナリングを受信することここにおいて、前記シグナリングは、前記第２のＵＬ／ＤＬサブフレーム構成がいつ用いられるかのインジケーションも提供する、と、
前記第２のＵＬ／ＤＬサブフレーム構成に従って前記基地局と通信するすること、ここにおいて、前記第２のＵＬ／ＤＬサブフレーム構成は、前記第１のＵＬ／ＤＬサブフレーム構成に基づいて決定された限定された数の有効サブフレームから選択され、前記第２のＵＬ／ＤＬサブフレーム構成は、第２のフレーム中のすべてのサブフレームについての構成を情報を備える、と
を行うように構成される少なくとも１つのプロセッサと、
前記少なくとも１つのプロセッサに結合されたメモリと
を備える装置。
【請求項８０】
前記少なくとも１つのプロセッサは、前記基地局からのダウンリンクデータのバーストを介して前記基地局と通信するように構成され、
前記第２のＵＬ／ＤＬサブフレーム構成は、前記第１のＵＬ／ＤＬサブフレーム構成よりも多くのダウンリンク送信用サブフレームを備える、
請求項７９に記載の装置。
【請求項８１】
前記少なくとも１つのプロセッサは、前記基地局のためのアップリンクデータのバーストを介して前記基地局と通信するように構成され、
前記第２のＵＬ／ＤＬサブフレーム構成は、前記第１のＵＬ／ＤＬサブフレーム構成よりも多くのアップリンク送信用サブフレームを備える、
請求項７９に記載の装置。
【請求項８２】
前記第２のＵＬ／ＤＬサブフレーム構成は、サブフレーム構成を含む別のブロードキャスト情報ブロックメッセージを受信する前にシグナリングされる、
請求項７９に記載の装置。
【請求項８３】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすることと、物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションをシグナリングすることとを行うように構成される少なくとも１つのプロセッサ、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記少なくとも１つのプロセッサに結合されたメモリと
を備える装置。
【請求項８４】
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介してシグナリングするように構成される、
請求項８３に記載の装置。
【請求項８５】
前記少なくとも１つのプロセッサは、前記インジケーションを、アップリンクデータ送信のためのアップリンクサブフレームのインジケーションを介してシグナリングするように構成される、
請求項８３に記載の装置。
【請求項８６】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信することと、物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションを受信することと、前記インジケーションに従った前記サブフレームの前記少なくとも１つを処理するすることとを行うように構成される少なくとも１つのプロセッサ、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記少なくとも１つのプロセッサに結合されたメモリと
を備える装置。
【請求項８７】
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介して受信するように構成される、
請求項８６に記載の装置。
【請求項８８】
前記少なくとも１つのプロセッサは、前記インジケーションを、アップリンクデータ送信のためのアップリンクサブフレームのインジケーションを介して受信するように構成される、
請求項８７に記載の装置。
【請求項８９】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、アップリンクデータ送信に使用される少なくとも１つのサブフレームのインジケーションをシグナリングすることと、前記インジケーションに従った前記少なくとも１つのサブフレームを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信することとを行うように構成される少なくとも１つのプロセッサ、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記少なくとも１つのプロセッサに結合されたメモリと
を備える装置。
【請求項９０】
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介してシグナリングするように構成される、
請求項８９に記載の装置。
【請求項９１】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、前記インジケーションに従って前記少なくとも１つのサブフレームを送ることとを行うように構成される少なくとも１つのプロセッサ、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記少なくとも１つのプロセッサに結合されたメモリと
を備える装置。
【請求項９２】
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介して受信するように構成される、
請求項９１に記載の装置。
【請求項９３】
サブフレームのセットのうちのどのサブフレームがアップリンク送信用であるか、またはサブフレームの前記セットのうちのどのサブフレームがダウンリンク送信用であるかの少なくとも１つを示す第１のアップリンク／ダウンリンク（ＵＬ／ＤＬ）サブフレーム構成を含む情報ブロックメッセージをブロードキャストすること、ここにおいて、前記第１のＵＬ／ＤＬ構成は、第１のフレーム中のすべてのサブフレームについての構成情報を備える、と、
１つまたは複数のユーザ機器（ＵＥ）との通信を処理するために適切な第２のＵＬ／ＤＬサブフレーム構成を決定すること、ここにおいて、前記第２のＵＬ／ＤＬサブフレーム構成は、前記第１のＵＬ／ＤＬサブフレーム構成に基づいて決定された限定された数の有効サブフレームから選択され、前記第２のＵＬ／ＤＬサブフレーム構成は、第２のフレーム中のすべてのサブフレームについての構成を情報を備える、と、
前記１つまたは複数のＵＥに前記第２のＵＬ／ＤＬサブフレーム構成のインジケーションをシグナリングすること、ここにおいて、前記シグナリングは、前記第２のＵＬ／ＤＬサブフレーム構成がいつ用いられるかのインジケーションも提供する、と
を行うためにその上に記憶された命令を有する非一時的コンピュータ可読媒体。
【請求項９４】
１つまたは複数のＵＥとの前記通信は、ＵＥのためのダウンリンクデータのバーストを備え、
前記第２のＵＬ／ＤＬサブフレーム構成は、前記第１のＵＬ／ＤＬサブフレーム構成よりも多くのダウンリンク送信用サブフレームを備える、
請求項９３に記載の非一時的コンピュータ可読媒体。
【請求項９５】
サブフレームのセットのうちのどのサブフレームがアップリンク送信用であるか、またはサブフレームの前記セットのうちのどのサブフレームがダウンリンク送信用であるかの少なくとも１つを示す第１のアップリンク／ダウンリンク（ＵＬ／ＤＬ）サブフレーム構成を含むブロードキャスト情報ブロックメッセージを受信すること、ここにおいて、前記第１のＵＬ／ＤＬ構成は、第１のフレーム中のすべてのサブフレームについての構成情報を備える、と、
基地局との通信を処理するために適切な第２のＵＬ／ＤＬサブフレーム構成を示すシグナリングを受信すること、ここにおいて、前記シグナリングは、前記第２のＵＬ／ＤＬサブフレーム構成がいつ用いられるかのインジケーションも提供し、前記第２のＵＬ／ＤＬサブフレーム構成は、前記第１のＵＬ／ＤＬサブフレーム構成に基づいて決定された限定された数の有効サブフレームから選択され、前記第２のＵＬ／ＤＬサブフレーム構成は、第２のフレーム中のすべてのサブフレームについての構成を情報を備える、と、
前記第２のＵＬ／ＤＬサブフレーム構成に従って前記基地局と通信することと
を行うためにその上に記憶された命令を有する非一時的コンピュータ可読媒体。
【請求項９６】
前記通信することは、前記基地局からのダウンリンクデータのバーストを介して前記基地局と通信することを備え、
前記第２のＵＬ／ＤＬサブフレーム構成は、前記第１のＵＬ／ＤＬサブフレーム構成よりも多くのダウンリンク送信用サブフレームを備える、
請求項９５に記載の非一時的コンピュータ可読媒体。
【請求項９７】
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすること、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションをシグナリングすること、ここにおいて、前記一時識別子によってスクランブルされた前記情報フィールドは、前記サブフレーム構成に基づく、と
を行うためにその上に記憶された命令を有する非一時的コンピュータ可読媒体。
【請求項９８】
前記インジケーションをシグナリングすることは、ダウンリンクデータ送信に応答したハイブリッド自動再送要求（ＨＡＲＱ）応答のためのアップリンクサブフレームのインジケーションを介したものである、
請求項９７に記載の非一時的コンピュータ可読媒体。
【請求項９９】
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信すること、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションを受信することと、
前記インジケーションに従って前記サブフレームの前記少なくとも１つを処理すること、ここにおいて、前記一時識別子によってスクランブルされた前記情報フィールドは、前記サブフレーム構成に基づく、と
を行うためにその上に記憶された命令を有する非一時的コンピュータ可読媒体。
【請求項１００】
前記インジケーションを受信することは、ダウンリンクデータ送信に応答したハイブリッド自動再送要求（ＨＡＲＱ）応答のためのアップリンクサブフレームのインジケーションを介したものである、
請求項９９に記載の非一時的コンピュータ可読媒体。
【請求項１０１】
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、アップリンクデータ送信に使用される少なくとも１つのサブフレームのインジケーションをシグナリングすること、ここにおいて、前記一時識別子によってスクランブルされた前記情報フィールドは、サブフレーム構成に基づく、と、
前記インジケーションに従った前記サブフレームの前記少なくとも１つを、前記サブフレーム構成に気づいていないユーザ機器（ＵＥ）から受信することと、
サブフレームのセットのうちのどのサブフレームがアップリンク送信用であるか、またはサブフレームの前記セットのうちのどのサブフレームがダウンリンク送信用であるかの少なくとも１つを示すこと、ここにおいて、前記サブフレーム構成は、フレーム中のすべてのサブフレームについての構成情報を備える、と
を行うためにその上に記憶された命令を有する非一時的コンピュータ可読媒体。
【請求項１０２】
前記インジケーションをシグナリングすることは、ダウンリンク送信のためのサブフレームに対して、アップリンクＡＣＫ／ＮＡＣＫ送信のためのアップリンクサブフレームのインジケーションを介したものである、
請求項１０１に記載の非一時的コンピュータ可読媒体。
【請求項１０３】
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信すること、ここにおいて、前記サブフレームのうちの前記少なくとも１つは、前記サブフレーム構成に基づいて決定された限定された数の有効サブフレームからの選択に基づいて構成され、前記サブフレーム構成は、フレーム中のすべてのサブフレームについての構成情報を備え、前記一時識別子によってスクランブルされた前記情報フィールドは、前記サブフレーム構成に基づく、と、
前記インジケーションに従って前記サブフレームの前記少なくとも１つを送ることと
を行うためにその上に記憶された命令を有する非一時的コンピュータ可読媒体。
【請求項１０４】
前記インジケーションを受信することは、ダウンリンク送信のためのサブフレームに対して、アップリンクＡＣＫ／ＮＡＣＫ送信のためのアップリンクサブフレームのインジケーションを介したものである、
請求項１０３に記載の非一時的コンピュータ可読媒体。
【請求項１０５】
前記第１のＵＬ／ＤＬサブフレーム構成は、第１の時分割複信（ＴＤＤ）ＵＬ／ＤＬサブフレーム構成を備え、
前記第２のＵＬ／ＤＬサブフレーム構成は、第２の時分割複信（ＴＤＤ）ＵＬ／ＤＬサブフレーム構成を備える、
請求項１に記載の方法。
【請求項１０６】
前記第１のＵＬ／ＤＬサブフレーム構成は、第１の時分割複信（ＴＤＤ）ＵＬ／ＤＬサブフレーム構成を備え、
前記第２のＵＬ／ＤＬサブフレーム構成は、第２の時分割複信（ＴＤＤ）ＵＬ／ＤＬサブフレーム構成を備える、
請求項１８に記載の方法。